(57)【要約】【課題】  比例関係にないアイリス（絞り）特性を有していても、画像のコントラスト急変を回避でき、より自然でなめらかな違和感のない映像を実現することができる投写型映像表示装置及びその絞り制御方法を提供する。【解決手段】  光源からの光量を、開度と照度とが比例関係にない絞り特性を有して調節する絞り機構３と、映像信号の明るさを検出する検出手段（ＡＰＬ検出部１２）と、この検出手段によって検出された映像信号の明るさに応じて絞り機構３の開度を制御すると共に、絞り特性の緩急に応じて絞り機構３の開閉速度を制御する制御手段（マイコン１１）とを備えた。【選択図】        図７
2007183450.tif 000002
【特許請求の範囲】
【請求項１】
光源からの光を映像信号に基づき変調して投写することにより映像を表示する投写型映像表示装置において、
前記光源からの光量を、開度と照度とが比例関係にない絞り特性を有して調節する絞り機構と、前記映像信号の明るさを検出する検出手段と、この検出手段によって検出された映像信号の明るさに応じて前記絞り機構の開度を制御すると共に、前記絞り特性の緩急に応じて前記絞り機構の開閉速度を制御する制御手段とを備えたことを特徴とする投写型映像表示装置。
【請求項２】
前記光源からの光が通過する光学系に、複数の矩形状のセルをマトリクス状に配列して成る第１及び第２インテグレータレンズが、前記光源からの光が通過すべき光軸上に互いに間隔をもって配置され、
前記絞り機構は、前記第１及び第２インテグレータレンズの間に配置されると共に、前記光軸とは直交する平面上に互いに重ね合わせて配置された第１絞り板及び第２絞り板と、これら両絞り板を前記平面に沿って互いに接近離間する方向に駆動する駆動機構とから構成され、前記第１絞り板及び第２絞り板の互いに対向する端縁には、それぞれ凹部が形成されて、両凹部によって包囲された光通過窓が形成され、両凹部はそれぞれ、前記第１インテグレータレンズの各セルから第２インテグレータレンズの各セルへ向かう複数の光束間の格子状の境界線に沿う階段状に形成されていることを特徴とする請求項１記載の投写型映像表示装置。
【請求項３】
光源からの光を映像信号に基づき変調して投写することにより映像を表示する投写型映像表示装置において、
前記光源からの光量を、開度と照度とが比例関係にない絞り特性を有して調節する絞り機構の開度を、前記映像信号の明るさに応じて制御すると共に、前記絞り特性の緩急に応じて前記絞り機構の開閉速度を制御することを特徴とする投写型映像表示装置の絞り制御方法。
【発明の詳細な説明】
【技術分野】
【０００１】
本願発明は、光源からの光を映像信号に基づき変調して投写することにより映像を表示する液晶プロジェクタ等の投写型映像表示装置及びその絞り制御方法に関するものである。
【背景技術】
【０００２】
液晶プロジェクタ等の投写型映像表示装置では、画像の平均輝度レベル（ＡＰＬ；Average Picture Level）に応じて、メタルハライドランプ等の光源からの発光量を制御することによって、画像のコントラストを高める方法が知られている。
【０００３】
また、光源の発光量を変化させる代わりに、光学絞り（ランプアイリス）による光量調節を利用して画像のコントラストを高める方法も知られている。
【０００４】
光源の発光量を制御するものについては、例えば特許文献１に記載されており、光学絞りにより光量調節するものについては、例えば特許文献２に記載されている。
【特許文献１】特開平５−６６５０１号公報（Ｇ０３Ｂ  ３３／１２）
【特許文献２】特開２００２−２３１０６号公報（Ｇ０２Ｂ  ２７／２８）
【発明の開示】
【発明が解決しようとする課題】
【０００５】
液晶プロジェクタ等の投写型映像表示装置のランプアイリスは、その形状により固有のアイリス特性（絞りの開度と照度との関係）を有している。アイリス形状が一般的な円形状の場合はアイリス特性は比例関係となるが、特殊な形状のためアイリス特性が比例関係でなく、かつランプアイリスの開閉速度が最適化されていない場合には、表示画像のコントラストが急変する問題が発生する。
【０００６】
そこで、本願発明はこのような課題を解決するためになされたものであり、比例関係にないアイリス（絞り）特性を有していても、画像のコントラスト急変を回避でき、より自然でなめらかな違和感のない映像を実現することができる投写型映像表示装置及びその絞り制御方法を提供することを目的とするものである。
【課題を解決するための手段】
【０００７】
上記のような目的を達成するために、本願の請求項１に記載の発明に係る投写型映像表示装置は、光源からの光を映像信号に基づき変調して投写することにより映像を表示する投写型映像表示装置において、前記光源からの光量を、開度と照度とが比例関係にない絞り特性を有して調節する絞り機構と、前記映像信号の明るさを検出する検出手段と、この検出手段によって検出された映像信号の明るさに応じて前記絞り機構の開度を制御すると共に、前記絞り特性の緩急に応じて前記絞り機構の開閉速度を制御する制御手段とを備えたことを特徴とするものである。
【０００８】
さらに、請求項２に記載の発明は、請求項１記載の発明において、前記光源からの光が通過する光学系に、複数の矩形状のセルをマトリクス状に配列して成る第１及び第２インテグレータレンズが、前記光源からの光が通過すべき光軸上に互いに間隔をもって配置され、前記絞り機構は、前記第１及び第２インテグレータレンズの間に配置されると共に、前記光軸とは直交する平面上に互いに重ね合わせて配置された第１絞り板及び第２絞り板と、これら両絞り板を前記平面に沿って互いに接近離間する方向に駆動する駆動機構とから構成され、前記第１絞り板及び第２絞り板の互いに対向する端縁には、それぞれ凹部が形成されて、両凹部によって包囲された光通過窓が形成され、両凹部はそれぞれ、前記第１インテグレータレンズの各セルから第２インテグレータレンズの各セルへ向かう複数の光束間の格子状の境界線に沿う階段状に形成されていることを特徴とするものである。
【０００９】
また、請求項３に記載の発明に係る投写型映像表示装置の絞り制御方法は、光源からの光を映像信号に基づき変調して投写することにより映像を表示する投写型映像表示装置において、前記光源からの光量を、開度と照度とが比例関係にない絞り特性を有して調節する絞り機構の開度を、前記映像信号の明るさに応じて制御すると共に、前記絞り特性の緩急に応じて前記絞り機構の開閉速度を制御することを特徴とするものである。
【発明の効果】
【００１０】
本願の請求項１記載の発明に係る投写型映像表示装置によれば、映像信号の明るさを検出する検出手段によって検出された映像信号の明るさに応じて、開度と照度とが比例関係にない絞り特性を有する絞り機構の開度を制御すると共に、その絞り特性の緩急に応じて絞り機構の開閉速度を制御する制御手段を備えたことにより、絞り特性の緩急をなめらかにするように作用して、画像のコントラスト急変を回避でき、より自然でなめらかな違和感のない映像を実現することができる。
【００１１】
さらに、請求項２記載の発明によれば、請求項１記載の発明において、絞り機構を構成する第１絞り板及び第２絞り板の互いに対向する端縁には、それぞれ凹部が形成されて、両凹部によって包囲された光通過窓が形成され、両凹部はそれぞれ、第１インテグレータレンズの各セルから第２インテグレータレンズの各セルへ向かう複数の光束間の格子状の境界線に沿う階段状に形成されていることにより、両絞り板が理想遮光状態に設定される頻度が増大し、この結果、色ムラの発生が抑制される。また、両紋り板を水平方向に接近離間させる１方向のスライド機構から紋り機構を構成することができ、これによって、紋り機構の簡略化を図ることができる。
【００１２】
また、請求項３記載の発明に係る投写型映像表示装置の絞り制御方法によれば、開度と照度とが比例関係にない絞り特性を有する絞り機構の開度を、映像信号の明るさに応じて制御すると共に、その絞り特性の緩急に応じて絞り機構の開閉速度を制御することにより、絞り特性の緩急をなめらかにするように作用して、画像のコントラスト急変を回避でき、より自然でなめらかな違和感のない映像を実現することができる。
【発明を実施するための最良の形態】
【００１３】
以下、投写型映像表示装置として液晶プロジェクタを例にとって、本願発明の一実施形態を図面を参照して詳細に説明する。
【００１４】
図１は、本願発明の一実施形態に係る液晶プロジェクタの光学系を示す構成図である。
【００１５】
光源となるランプユニット１からの白色光は、第１インテグレータレンズ２１、絞り機構３、第２インテグレータレンズ２２、スリット板４、偏光ビームスプリッタ５及びフィールドレンズ６を経て、第１ダイクロイックミラー７１に導かれる。
【００１６】
第１インテグレータレンズ２１及び第２インテグレータレンズ２２は、図５に示す如く耐熱ガラス製のフライアイレンズから構成され、ランプユニット１から発せられる白色光の照度分布を均一化する機能を有している。また、スリット板４は、アルミニウム薄板から構成され、偏光ビームスプリツタ５に対する不要な入射光を遮断する機能を有し、偏光ビームスプリツタ５は、光のP波及びS波の内、一方の成分波のみを抽出する機能を有している。
【００１７】
図１に示す偏光ビームスプリッタ５を通過した光は、フィールドレンズ６を経て、第１ダイクロイックミラー７１に至る。第１ダイクロイックミラー７１は、光の青色成分のみを反射すると共に、赤色及び緑色成分を通過させる機能を有し、第２ダイクロイックミラー７２は、光の緑色成分を反射すると共に、赤色成分を通過させる機能を有し、フィールドミラー８ａは、第２ダイクロイックミラー７２を通過した赤色成分を反射する機能を有している。従って、ランプユニット１から発せられた白色光は、第１及び第２ダイクロイックミラー７１，７２によって、青色光，緑色光及び赤色光に分光され、映像合成装置９に導かれることになる。
【００１８】
映像合成装置９は、図１に示す如く、立方体状の色合成プリズム９０の３つの側面にそれぞれ、赤色用液晶パネル９１ｒ、緑色用液晶パネル９１ｇ及び青色用液晶パネル９１ｂを取り付けて構成される。３枚の液晶パネル９１ｒ，９１ｇ，９１ｂの光入射側にはそれぞれ、各液晶パネル９１ｒ，９１ｇ，９１ｂに対する不要な光の成分波の入射を遮断するための光学補償シート９２ｒ，９２ｇ，９２ｂが配置されている。
【００１９】
第１ダイクロイックミラー７１及びフィールドミラー８ｂによって反射された青色光は、青色用の入射側偏光板９３ｂに導かれ、該入射側偏光板９３ｂ、青色用の光学補償シート９２ｂ、青色用液晶パネル９１ｂ及び青色用の出射側偏光板９４ｂを経て、色合成プリズム９０へ至る。また、第２ダイクロイックミラー７２によって反射された緑色光は、緑色用の入射側偏光板９３ｇに導かれ、該入射側偏光板９３ｇ、緑色用の光学補償シート９２ｇ、緑色用液晶パネル９１ｇ及び緑色用の出射側偏光板９４ｇを経て、色合成プリズム９０へ至る。同様に、第１ダイクロイックミラー７１及び第２ダイクロイックミラー７２を透過し、２枚のフィールドミラー８ａ，８ｃによって反射された赤色光は、赤色用の入射側偏光板９３ｒに導かれ、該入射側偏光板９３ｒ、赤色用の光学補償シート９２ｒ、赤色用液晶パネル９１ｒ及び赤色用の出射側偏光板９４ｒを経て、色合成プリズム９０へ至る。
【００２０】
色合成プリズム９０に導かれた３色の映像光は、色合成プリズム９０により合成され、これによって得られるカラー映像光が、投写レンズ１０を経て前方のスクリーンへ拡大投写されることになる。
【００２１】
第１インテグレータレンズ２１と第２インテグレータレンズ２２の間に配置された紋り機構３は、投写すべき映像の入力データ（映像信号）に応じて、各色の液晶パネル９１ｒ，９１ｇ，９１ｂに入射させるべき光量を調整することにより、投写映像のコントラストの向上を図るものである。例えば、投写すべき映像の入力データが低輝度領域に集中している場合、即ち投写すべき映像が全体的に暗い映像である場合、紋り機構３によりランプユニット１から発せられた光の一部を遮断して、各色の液晶パネル９１ｒ，９１ｇ，９１に入射させるべき光量を通常時よりも少なく設定すると共に、入力データに対してダイナミックレンジを拡大する補正を施すことにより、投写映像のコントラストの向上を図ることができる。
【００２２】
ところで、第２インテグレータレンズ２２を通過して各色の液晶パネル９１ｒ，９１ｇ，９１ｂに至る光の内、第２インテグレータレンズ２２の外周部を通過した光は、第２インテグレータレンズ２２の中央部を通過した光に比べて、各液晶パネル９１ｒ，９１ｇ，９１ｂの表面に対して傾斜して入射することとなるため、光漏れの原因となり易い。
【００２３】
そこで、第２インテグレータレンズ２２の外周部へ入射されることとなる光を絞り機構３によって遮断することにより、各色の液晶パネル９１ｒ，９１ｇ，９１ｂに生じる光漏れを防止し、これによって、投写映像のコントラストの向上を図っている。
【００２４】
図２及び図３に示す如く、絞り機構３は、それぞれ矩形状のベースプレート３１とカバープレート３２とを互いに接合して形成した扇平なケーシング３０の内部に、Ｔ字状の第１紋り板３３とＬ字状の第２紋り板３４とを、該紋り機構３を通過する光の光軸とは直交する平面上に互いに重ね合わせて配置して構成され、カバープレート３２には、第１絞り板３３及び第２絞り板３４を前記平面に沿って互いに接近離間する方向に駆動するためのモータ３５が取り付けられている。ベースプレート３１及びカバープレート３２にはそれぞれ、矩形状の開口３１ａ，３２ａが形成されており、図１に示した第１インテグレータレンズ２１を通過した光は、前記両開口３１ａ，３２ａを通して第２インテグレータレンズ２２に照射されることになる。
【００２５】
図２に示す如く、モータ３５の出力軸には、該出力軸と一体に回転する回動部材３６が取り付けられており、該回動部材３６の両端部にはそれぞれ、カバープレート３２に向けて突出する凸部３６ａ，３６ａが形成されている。各凸部３６ａ，３６ａは、図３に示すベースプレート３１及びカバープレート３２に開設された一対の円弧状の溝部３１ｂ，３１ｂ及び３２ｂ，３２ｂに係合している。また、第１絞り板３３及び第２絞り板３４の左端部には、矩形状の貫通孔３３ａ，３４ａが開設されており、両貫通孔３３ａ，３４ａを回動部材３６の各凸部３６ａ，３６ａが貫通している。
【００２６】
第１絞り板３３の上辺部及び第２絞り板３４の下辺部にはそれぞれ、２つのガイド孔５３ｂ，３３ｂ及び３４ｂ，３４ｂが、図２に示す紋り機構３の矩形状の外形を構成する一対の長辺に沿って開設されると共に、ベースプレート３１の内面には、前記一対の長辺に沿ってそれぞれ２本づつ、合計４本のガイドピン３１ｃ，３１ｃ，３１ｄ，３１ｄがカバープレート３２に向けて突設されている。上側の２本のガイドピン３１ｃ，３１ｃは、第１絞り板３３の２つのガイド孔３３ｂ，３３ｂにそれぞれ係合し、下側の２本のガイドピン３１ｄ，３１ｄは、第２絞り板３４の２つのガイド孔３４ｂ，３４ｂにそれぞれ係合している。
【００２７】
図５に示す如く、第２インテグレータレンズ２２は、マトリクス状に配列された５６個の矩形状のセル２２ａから構成されており、第１インテグレータレンズ２１も第２インテグレータレンズ２２と同様の構成を有している。図６（ａ）〜（ｃ）に示す如く、第２インテグレータレンズ２２は、該第２インテグレータレンズ２２を構成する各セル２２ａの光学中心が、第１インテグレータレンズ２１を構成する各セル２１ａの焦点に一致するように配置されている。
【００２８】
従って、図６（ａ）〜（ｃ）に示す如く、第１インテグレータレンズ２１の各セル２１ａからは、第２インテグレータレンズ２２の対応する各セル２２ａの光学中心へ向かう四角錐状の光束２００が出射され、絞り機構３（第１，第２絞り板３３，３４）の設置位置における各光束２００の断面形状は矩形状を呈することになる。
【００２９】
図３に示す如く、第１絞り板３３及び第２絞り板３４の互いに対向する端縁には、それぞれ凹部３３ｃ，３４ｃが形成されている。両凹部３３ｃ，３４ｃはそれぞれ、第１インテグレータレンズ２１の各セル２１ａから第２インテグレータレンズ２２の各セル２２ａへ至る複数の光束２００間の格子状の境界線に沿う階段状に形成されている。
【００３０】
両絞り板３３，３４の凹部３３ｃ，３４ｃは、図４（ａ）〜（ｅ）に示す如く、両紋り板３３，３４のスライド動作に応じて開口３１ａ，３２ａから露出し、第１インテグレータレンズ２１を通過した光は、両凹部３３ｃ，３４ｃによって包囲された光通過窓３７を通して、第２インテグレータレンズ２２に至ることになる。
【００３１】
図４（ａ）〜（ｅ）は、両絞り板３３，３４の凹部３３ｃ，３４ｃの端縁が、第１インテグレータレンズ２１の各セル２１ａから第２インテグレータレンズ２２の各セル２２ａへ至る複数の光束２００間の格子状の境界線上に位置した状態（理想遮光状態）を示している。
【００３２】
また、図５（ａ）〜（ｅ）は、絞り機構３が図４（ａ）〜（ｅ）に示す理想遮光状態に設定されたとき、第２インテグレータレンズ２２に照射される光の領域をハッチングで示している。図６（ａ）〜（ｃ）は、紋り機構３が図４（ａ），（ｃ）及び（ｅ）に示す各状態に設定されたとき、該絞り機構３によって、第１インテグレータレンズ２１の各セル２１ａから第２インテグレータレンズ２２の各セル２２ａへ至る全ての光束２００の内、複数の光束２００が遮光された状態を示している。
【００３３】
図４（ａ）〜（ｅ）に示す如く、モータ３５が時計回りに回転すると、第１絞り板３３は右方向ヘスライドすると共に、第２絞り板３４は左方向ヘスライドし、この結果、第１紋り板３３と第２絞り板３４とが互いに接近することになる。これにより、開口３１ａ，３２ａから露出する第１絞り板３３及び第２絞り板３４の面積が大きくなる。
【００３４】
一方、モータ３５が反時計回りに回転すると、第１絞り板３３は左方向ヘスライドすると共に、第２絞り板３４は右方向ヘスライドし、この結果、第１絞り板３３と第２紋り板３４とが互いに離間することになる。これにより、開口３１ａ，３２ａから露出する第１紋り板３３及び第２絞り板３４の面積が小さくなる。
【００３５】
上述の如く、開口３１ａ，３２ａから露出する第１絞り板３３及び第２絞り板３４の面積は、モータ３５の回転角に応じて変化するので、モータ３５の回転角を制御することによって、図４（ａ）に示す第１の理想遮光状態と図４（ｅ）に示す第５の理想遮光状態との間で、第２インテグレータレンズ２２に対する光の照射領域を変化させることができる。
【００３６】
図４（ａ）に示す第１の理想遮光状態において、回動部材３６は、モータ３５によって反時計回りの限界位置まで回動している。この状態においては、図５（ａ）及び図６（ａ）に示す如く、第２インテグレータレンズ２２を構成する５６個の全てのセル２２ａに光が照射される。
【００３７】
一方、図４（ｅ）に示す第５の理想遮光状態において、回動部材３６は、モータ３５によって時計回りの限界位置まで回動している。この状態においては、図５（ｅ）及び図６（ｃ）に示す如く、第２インテグレータレンズ２２の中央部を構成する４個のセル２２ａにのみ光が照射されることになる。
【００３８】
また、図４（ｂ）に示す第２の理想遮光状態においては、図５（ｂ）に示す如く、第２インテグレータレンズ２２の最外周に配列された１２個のセル２２ａを除く４４個のセル２２ａに光が照射されることになる。
【００３９】
同様に、図４（ｃ）に示す第３の理想遮光状態においては、図５（ｃ）及び図６（ｂ）に示す如く、第２インテグレータレンズ２２の中央部を中心として略十字状に配列された２８個のセル２２ａにのみ光が照射され、図４（ｄ）に示す第４の理想遮光状態においては、図５（ｄ）に示す如く、第２インテグレータレンズ２２の中央部を中心として略十字状に配列された１２個のセル２２ａにのみ光が照射されることになる。
【００４０】
ここで、紋り機構３が、図４（ａ）〜（ｅ）に示す第１〜第５の理想遮光状態の間の中間状態に設定された場合、即ち、第１紋り板３３及び第２紋り板３４が、第１インテグレータレンズ２１の各セル２１ａから第２インテグレータレンズ２２の各セル２２ａへ至る全ての光束２００の内、少なくとも1つの光束２００の一部の領域の光の通過を遮断して残りの領域の光の通過を許容する状態に遷移した場合には、投写映像に色ムラが発生することがある。
【００４１】
本実施形態の絞り機構３においては、光の通過を許容する光通過窓３７を規定する両紋り板３３，３４の互いに対向する凹部３３ｃ，３４ｃは、第１インテグレータレンズ２１の各セル２１ａから第２インテグレータレンズ２２の各セル２２ａへ向かう複数の光束２００間の格子状の境界線に沿う階段状に形成されているため、両絞り板３３，３４の往復動作の過程で、両絞り板３３，３４の凹部３３ｃ，３４ｃの端縁が前記格子状の境界線上に至る毎に、前記中間状態から、第１〜第５の理想遮光状態の内、何れか一つの理想遮光状態に遷移することになる。
【００４２】
これにより、両紋り板３３，３４の往復動作の過程で、両絞り板３３，３４が理想遮光状態に設定される頻度が増大し、この結果、色ムラの発生が抑制される。
【００４３】
また、両絞り板３３，３４の凹部３３ｃ，３４ｃが、第１インテグレータレンズ２１の各セル２１ａから第２インテグレータレンズ２２の各セル２２ａへ至る複数の光束２００間の格子状の境界線に沿う階段状に形成されているため、両紋り板３３，３４を水平方向に接近離間させる１方向のスライド機構から紋り機構３を構成することができ、これによって、紋り機構３の簡略化を図ることができる。
【００４４】
図７は、本願発明の一実施形態に係る上記絞り機構３の制御ブロック図である。
【００４５】
本願発明の制御手段を構成するマイコン（マイクロコンピュータ）１１には、ＡＰＬ検出部１２からの出力が入力されている。ＡＰＬ検出部１２は、本願発明において映像信号の明るさを検出する検出手段に相当するもので、映像信号から各画像フレームの平均輝度レベル（ＡＰＬ；Average Picture Level）を検出して、マイコン１１に出力する。
【００４６】
マイコン１１は、ＡＰＬ検出部１２によって検出された平均輝度レベル（ＡＰＬ）に応じて絞り機構３のモータ３５を制御することにより光透過窓３７の開度を制御すると共に、その制御に際して下述するアイリス（絞り）特性の緩急に応じて絞り機構３のモータ３５を制御することにより光透過窓３７の開閉速度を制御する。
【００４７】
マイコン１１の内部メモリには、下述するアイリス特性のデータが予め記憶されており、マイコン１１は、このデータに基づきアイリス特性の緩急に応じて絞り機構３のモータ３５を制御することにより、光透過窓３７の開閉速度を制御することができるようになっている。
【００４８】
図８は、上述してきた絞り機構３の開口３１ａ，３２ａを示す模式図である。ここでは、開口３１ａ，３２ａの大きさが同図（ａ）に示す如く31.6mm×30.8mmで、アイリスの動作範囲を、同図（ｂ）に示す24.68mm×20.2mmの最大開度(OPEN)から同図（ｃ）に示す6.92mm×10.6mmの最小開度(CLOSE)の範囲とした。これらの間を６４分割し、横軸に開度設定値、縦軸に照度比をとり、グラフ化したものが図９に示すアイリス特性である。
【００４９】
上述したように、アイリス特性はアイリスの形状に依存する。例えば、光透過窓３７が十字形状であるアイリスでは上記のような特性をとり、円形状であるアイリスでは正比例の特性をとる。
【００５０】
このように、アイリス特性がその形状に依存するため、アイリスの形状毎に制御を変える必要がある。
【００５１】
例えば、図９に示すように最大開度−最小開度間を６４分割し、アイリス特性の傾きが緩やかなところと急なところで、当該データを予め記憶してあるマイコン１１で絞り機構３のモータ３５の制御を変えることにより、アイリスの開閉速度を変化させるように制御する。
【００５２】
具体的には、アイリス特性の傾きが緩やかなところでは、画像１フレームで１ステップ動かし、急なところでは画像４フレームで１ステップ動かすように制御し、ランプアイリスの開閉速度に変化を付けるようにして、アイリス特性の緩急をなめらかにするように作用させる。
【００５３】
これにより、液晶プロジェクタで表示した画像のコントラストが急変するケースを回避することができ、より自然でなめらかな違和感のない映像を実現することができる。
【００５４】
なお、上記実施形態では、液晶パネルを用いた液晶プロジェクタを示したが、他の映像光生成系を備える投写型映像表示装置においても本願発明を適用できる。前面投写型の他、背面投写型映像表示装置においても本願発明を適用することができる。また、ＤＬＰ（Digital Light Processing；テキサス・インスツルメンツ（TI）社の登録商標）方式のプロジェクタにおいても本願発明を適用することができる。
【図面の簡単な説明】
【００５５】
【図１】本願発明の一実施形態に係る液晶プロジェクタの光学系を示す構成図。
【図２】その絞り機構の斜視図。
【図３】同じく、絞り機構の分解斜視図。
【図４】同じく、絞り機構の状態遷移図。
【図５】絞り機構が上記図４に示す各状態に設定されたときに第２インテグレータレンズに照射される光の領域を示す図。
【図６】絞り機構による光束の遮光状態を示す図。
【図７】本願発明の一実施形態に係る絞り機構の制御ブロック図。
【図８】絞り機構の開口を示す模式図。
【図９】アイリス特性の一例をグラフ化して示した図。
【符号の説明】
【００５６】
１  ランプユニット（光源）
２１，２２  第１，第２インテグレータレンズ
３  絞り機構
３３，３４  絞り板
３５  モータ
３７  光通過窓
９１ｒ，９１ｇ，９１ｂ  液晶パネル
１１  マイコン（制御手段）
１２  ＡＰＬ検出部（検出手段）
【図１】
2007183450.tif 000003
【図２】
2007183450.tif 000004
【図３】
2007183450.tif 000005
【図４】
2007183450.tif 000006
【図５】
2007183450.tif 000007
【図６】
2007183450.tif 000008
【図７】
2007183450.tif 000009
【図８】
2007183450.tif 000010
【図９】
2007183450.tif 000011